(57)【要約】      （修正有）【課題】二本の箸本体を並列に揃えて一セットとした割り箸であって、前記二本の箸本体の持ち代部及び／又は使い代部に塗料を塗って再利用し易くした塗り割り箸を提供する。【解決手段】割る前に或いは割った後に、塗り箸にしておくことにより、割る前は勿論、一度割った割り箸をその後、何回も他人が使用した割り箸でも、その都度きれいに洗って消毒して、好ましくは紙テープ等で結束し箸袋に入れておくことで再利用を可能とする。再利用の際は、紙テープや箸袋に「さいかいばし」、「ちぎりばし」、「一期一会」、「ふたたびの」、「七転び八起き」、「めぐりあい」、「またあえたら」、「またあおうね」、「いつまでもばし」、「縁をつかもう」などを表記してリサイクルの意図を喚起することもよい。【選択図】図１
0003174322.tif 000002
【実用新案登録請求の範囲】
【請求項１】
二本の箸本体（１００）を並列に揃えて一セットとした割り箸であって、前記二本の箸本体（１００）の持ち代部（１０２）及び／又は使い代部（１０１）に塗料（Ｒ，Ｂ）を塗ったことを特徴とする塗り割り箸。
【考案の詳細な説明】
【技術分野】
【０００１】  本考案は、リサイクル使用であることを感じさせずに違和感なく使用できる「塗り割り箸」に関するものである。
【背景技術】
【０００２】  箸食文化圏、即ち中国、韓国、日本、台湾、ベトナム等の箸による食事習慣のある地域の中でも、我が国は、箸の構造、使用方法の点で特異である。即ち、他の国々が、箸に匙（さじ）が副あるいは主になる関係で必ず組み合わされ、使用されるのに対し、我が国では、所謂日本食に関するかぎり全く匙を組み合わせて使用することがなく、箸のみで全ての用を足すことになるという大きな特徴を有している。
また特に構造面で、「割り箸」という独特の箸を生み出し、使用している。これは、日本人独特の美意識と心映えとが反映したもので、神事や接待に対し、汚れのない清浄なものを使用するという価値観に由来し、それが我が国の「木の文化」に結び付いて生み出されたものである。【０００３】  この我が国独特の割り箸にも、種類は、形状，材質は様々なものがあり、材料が木材の場合は中でも護摩木等は、その本来の色そのままの良さを活かしたものが多い。
材質では、間伐材，余材を利用し、竹，杉，桧，松，柳，南天，桑，紫檀等の木材の、使用して中でも杉，桧，蝦夷松は、利久箸，天削の高級品に使用されている等、資源の有効利用に役立てている。
また割り箸は、形状、構造によってランク付けがあり、最も高級は正月の祝い膳（ぜん）用の、柳の木で作られた太箸で折れにくく縁起がよいとされ両端が細く胴の部分が膨らんだ形状の「柳箸」から懐石用の「利久箸」、箸の頭の部分が斜めに切除されており先端部を面取りした吉野杉独特の美しい柾目の「天削」、小判型断面で箸の頭から先まで割目と溝が入っている割り易くした中級品の「元禄」、頭の形が小判形断面をなす「小判」、そして頭の断面形が矩形である「丁六」と呼ばれる普及品や六角断面の「六角箸」まで、使用素材に違いがあるばかりではなく、全体形状はじめ、断面形状、割れ目の入れ方等にも違いがある。【０００４】  そこで、一般家庭や食堂、宴席等で極く普通に使用される片割れ割り箸と言うタイプの割り箸の場合は、二本の箸本体の一部を未割部として残してある持ち代部と、予め割ってある使い代部とからなる。
このような割り箸は、安価で多量生産できることから、近年では一般家庭，飲食店，屋外等、あらゆる場所で飲食に広く使用されるようになった。
しかし割箸は、そのほとんどが一回限りの使用で使い捨てされているのが現状であり、資源の極めて乏しい日本なのに、非常に“もったいない”。
【考案の概要】
【考案が解決しようとする課題】
【０００５】  使った割り箸の再利用を阻めている大きな原因は、一度他人が割って使用した割り箸を、洗って消毒したにせよ、割り痕が残っている割り箸をそのまま使用することにかなり抵抗があることと、かといって割った割り口を元の状態に復元するにしてもその方法がなく殆ど不可能なためであったためである。
本考案は、この“もったいない”に答えて、割り箸のリサイクル使用であることを感じさせずに違和感なく再使用できる「塗り割り箸」を提供するものである。【０００６】
【課題を解決するための手段】
【０００７】  本考案はこれらの課題を全て満足する優れた割り箸でありその特徴とする技術条件は次の（１）の通りである。【０００８】  （１）、二本の箸本体を並列に揃えて一セットとした割り箸であって、前記二本の箸本体の持ち代部及び／又は使い代部に塗料を塗った塗り箸としたことを特徴とする塗り割り箸。
【考案の効果】
【０００９】  本考案の割り箸は、“もったいない”に答えて、割り箸のリサイクル使用であることを感じさせずに違和感なく再使用できるものである。
即ち、割る前に或いは割った後に、塗り箸にしておくことにより、割る前は勿論、一度割った割り箸をその後、何回も他人が使用した割り箸でも、その都度きれいに洗って消毒して、好ましくは紙テープ等で結束し箸袋に入れておけば再利用を有利に可能としたものである。
再利用の際は、紙テープや箸袋に「さいかいばし」、「ちぎりばし」、「一期一会」、「ふたたびの」、「七転び八起き」、「めぐりあい」、「またあえたら」、「またあおうね」、「いつまでもばし」、「縁をつかもう」などを表記してリサイクルの意図を喚起することもよい。
【図面の簡単な説明】
【００１０】
【図１】本考案の塗り割り箸の６例を紹介した平面図である。
【考案を実施するための形態】
【００１１】  本考案を実施するための形態例を図１に示す次の各実施例と共に詳細に紹介する。
【実施例１】
【００１２】  本例の塗り割り箸は、図１の（１）〜（６）に示し、二本の箸本体１００をその側面同士を合わせて並列に揃えて一セットとしたものである。例えば紙テープなどで結束してもよい。
図１の（１）はバラ利久の塗り箸であり箸本体１００の使用代部１０１に、赤色塗料Ｒを塗ったものである。
図１の（２）は利久の塗り箸であり箸本体１００の持ち代部１０２に、黒色塗料Ｂを塗ったものである。
図１の（３）は天削の塗り箸であり箸本体１００の使用代部１０１に、赤色塗料Ｒを塗ったものである。
図１の（４）は元禄の塗り箸であり箸本体１００の使用代部１０１に、黒色塗料Ｂを塗ったものである。
図１の（５）は小判の塗り箸であり箸本体１００の持ち代部１０２に、赤色塗料Ｒを塗ったものである。
図１の（６）は六角の塗り箸であり箸本体１００の使用代部１０１と持ち代部１０２に、赤色塗料Ｒを塗ったものである。【００１３】  本考案の上記例の各塗り割り箸は、“もったいない”に答えて、割り箸のリサイクル使用であることを感じさせずに違和感なく再使用できるものである。
即ち、割る前に或いは割った後に、塗り箸にしておくことにより、割る前は勿論、一度、割った割り箸をその後、何回も他人が使用した割り箸でも、その都度きれいに洗って消毒して、好ましくは紙テープ等で結束し箸袋に入れておけば再利用を有利に可能としたものである。
再利用の際は、紙テープや箸袋に「さいかいばし」、「ちぎりばし」、「−期一会」、「ふたたびの」、「七転び八起き」、「めぐりあい」、「またあえたら」、「またあおうね」、「いつまでもばし」、「縁をつかもう」などを表記してリサイクルの意図を喚起することもよい。
【産業上の利用可能性】
【００１４】  本考案の「塗り割り箸」は、前述の通り一般利用されている割り箸のリサイクル使用を有利に可能とする優れた効果を呈するものであり、資源の極めて乏しい日本に対して、資源の有効利用に大きく役立てる。
このため和食文化及び割り箸製造産業界の発展に貢献すること多大なものとなる。
【符号の説明】
【００１５】１００：箸本体
１０１：使用代部
１０２：持ち代部
Ｒ：赤色塗料
Ｂ：黒色塗料
【図１】
0003174322.tif 000003